(57)【要約】【課題】遠隔診療のために患者の同意を得て検査結果を医師に提供することができる遠隔診療システム、予約申込装置、予約受付装置及びコンピュータプログラムを提供する。【解決手段】遠隔診療システムは、遠隔診療の予約を申し込む予約申込装置１と、遠隔診療の予約を受け付ける予約受付装置２とを備える。予約申込装置１は、特定の患者に対する遠隔診療の予約の申し込みを表す申込データを予約受付装置２へ送信し、予約受付装置１は、遠隔診療を行う医師が特定の患者に対して行われた医療検査の結果を閲覧することが許可されているか否かを判定し、遠隔診療を行う医師が医療検査の結果を閲覧することが許可されている場合に、受信した前記申込データに応じて前記遠隔診療の予約を受け付けるための処理を行う。【選択図】図２
2018106402.tif 000002
【特許請求の範囲】
【請求項１】
遠隔診療の予約を申し込む予約申込装置と、遠隔診療の予約を受け付ける予約受付装置とを備える遠隔診療システムであって、
前記予約申込装置は、
特定の患者に対する遠隔診療の予約の申し込みを表す申込データを前記予約受付装置へ送信する申込データ送信部を有し、
前記予約受付装置は、
前記遠隔診療を行う医師が前記特定の患者に対して行われた医療検査の結果を閲覧することが許可されているか否かを判定する判定部と、
前記遠隔診療を行う医師が前記医療検査の結果を閲覧することが許可されている場合に、受信した前記申込データに応じて前記遠隔診療の予約を受け付けるための処理を行う予約部と
を有することを特徴とする遠隔診療システム。
【請求項２】
前記遠隔診療を行う医師が内容を閲覧することが可能なデータを記憶する記憶装置を更に備え、
前記判定部は、
前記特定の患者に対して行われた医療検査の結果を表す検査データが前記記憶装置に記憶されている場合に、前記遠隔診療を行う医師が前記医療検査の結果を閲覧することが許可されていると判定すること
を特徴とする請求項１に記載の遠隔診療システム。
【請求項３】
前記予約申込装置は、
前記検査データを、前記遠隔診療の予約の申し込み先に関連付けられた送信先へ送信する検査データ送信部を更に有し、
前記記憶装置は、
前記送信先へ送信された前記検査データを記憶すること
を特徴とする請求項２に記載の遠隔診療システム。
【請求項４】
前記検査データを記憶している検査データ記憶装置を更に備え、
前記予約申込装置は、
前記遠隔診療を行う医師が前記医療検査の結果を閲覧することを許可することを表した許可情報を前記予約受付装置へ送信する許可情報送信部を更に有し、
前記予約受付装置は、
前記許可情報を受信した場合に、前記検査データ記憶装置に記憶されている前記検査データを前記記憶装置に記憶させる記憶制御部を更に有すること
を特徴とする請求項２に記載の遠隔診療システム。
【請求項５】
前記記憶装置は、患者に対する診療の記録を表したデータを記憶していること
を特徴とする請求項２乃至４のいずれか一つに記載の遠隔診療システム。
【請求項６】
前記特定の患者に対して行われた医療検査の結果を表す検査データを記憶している検査データ記憶装置を更に備え、
前記予約申込装置は、
前記遠隔診療を行う医師が前記医療検査の結果を閲覧することを許可することを表した許可情報を前記予約受付装置へ送信する許可情報送信部を更に有し、
前記判定部は、
前記許可情報に応じた検査データを前記検査データ記憶装置から取得することが可能である場合に、前記遠隔診療を行う医師が前記医療検査の結果を閲覧することが許可されていると判定すること
を特徴とする請求項１に記載の遠隔診療システム。
【請求項７】
前記予約受付装置は、
前記遠隔診療を行う医師が前記医療検査の結果を閲覧することが許可されていない場合に、前記遠隔診療を行うべき日時を特定の日時以降とした前記遠隔診療の予約を受け付けるための処理を行う仮予約部と、
前記特定の日時までに、前記遠隔診療を行う医師が前記医療検査の結果を閲覧することが許可された状態にならない場合に、前記遠隔診療の予約を取り消す取消部とを更に有し、
前記予約申込装置は、
前記特定の日時までに前記遠隔診療を行う医師が前記医療検査の結果を閲覧することが許可されるようにするべきであることを告知する告知部を更に有すること
を特徴とする請求項１乃至６のいずれか一つに記載の遠隔診療システム。
【請求項８】
遠隔診療に関する会計処理を行う会計装置を更に備え、
該会計装置は、
特定の患者の金融口座を識別する口座情報を記憶する口座情報記憶部と、
受け付けられた予約に応じて行われた前記特定の患者に対する遠隔診療の内容を取得する診療内容取得部と、
取得した遠隔診療の内容に基づいて、前記医療検査の費用を含んだ診療報酬を算出する算出部と、
算出した診療報酬の支払いを要求するための処理を行う支払要求部と、
前記口座情報を用いて、支払われた診療報酬の中で前記医療検査の費用に対応する金額を前記特定の患者の金融口座に振り込むための処理を行う振込部と
を有することを特徴とする請求項１乃至７のいずれか一つに記載の遠隔診療システム。
【請求項９】
前記算出部は、遠隔診療を行うことによって削減された医療費に応じた減額をせずに前記診療報酬を算出すること
を特徴とする請求項８に記載の遠隔診療システム。
【請求項１０】
遠隔診療の予約を申し込む予約申込装置であって、
特定の患者に対して行われた医療検査の結果を表す検査データを記憶する記憶部と、
前記特定の患者に対する遠隔診療の予約の申し込み先の選択を受け付ける選択受付部と、
前記検査データを、選択を受け付けた申し込み先に関連付けられた送信先へ送信する検査データ送信部と、
前記申し込み先宛の前記遠隔診療の予約の申し込みを表す申込データを外部へ送信する申込データ送信部と
を備えることを特徴とする予約申込装置。
【請求項１１】
遠隔診療の予約を申し込む予約申込装置であって、
特定の患者に対する遠隔診療の予約の申し込み先の選択を受け付ける選択受付部と、
前記遠隔診療を行う医師が前記特定の患者に対して行われた医療検査の結果を閲覧することを許可する指示を受け付ける許可受付部と、
前記遠隔診療を行う医師が前記医療検査の結果を閲覧することを許可することを表した許可情報を、外部へ送信する許可情報送信部と、
選択を受け付けた申し込み先宛の前記遠隔診療の予約の申し込みを表す申込データを、外部へ送信する申込データ送信部と
を備えることを特徴とする予約申込装置。
【請求項１２】
遠隔診療の予約を申し込む予約申込装置であって、
ディスプレイと、
遠隔診療の予約の申し込みが可能であることを示すメッセージ、又は、遠隔診療の予約の申し込みはできず、遠隔診療を行うべき日時を特定の日時以降とした仮予約の申し込みが可能であることを示すメッセージを前記ディスプレイに表示するメッセージ表示部と、
遠隔診療の予約の申し込みの指示又は仮予約の申し込みの指示を受け付けるためのボタンを前記ディスプレイに表示するボタン表示部と
を備えることを特徴とする予約申込装置。
【請求項１３】
日時の候補の中から遠隔診療を行う日時を選択するための選択欄を前記ディスプレイに表示する選択欄表示部を更に備えること
を特徴とする請求項１２に記載の予約申込装置。
【請求項１４】
遠隔診療の予約を受け付ける予約受付装置であって、
特定の患者に対する遠隔診療の予約の申し込みを表す申込データを受信する受信部と、
前記遠隔診療を行う医師が前記特定の患者に対して行われた医療検査の結果を閲覧することが許可されているか否かを判定する判定部と、
前記遠隔診療を行う医師が前記医療検査の結果を閲覧することが許可されている場合に、受信した前記申込データに応じて前記遠隔診療の予約を受け付けるための処理を行う予約部と
を備えることを特徴とする予約受付装置。
【請求項１５】
記憶部、受付部及び通信部を備えるコンピュータに、
特定の患者に対する遠隔診療の予約の申し込み先の選択を前記受付部により受け付けるステップと、
前記記憶部に記憶している前記特定の患者に対して行われた医療検査の結果を表す検査データを、選択を受け付けた申し込み先に関連付けられた送信先へ前記通信部により送信する検査データ送信ステップと、
前記申し込み先宛の前記遠隔診療の予約の申し込みを表す申込データを、前記通信部により外部へ送信するステップと
を含む処理を実行させることを特徴とするコンピュータプログラム。
【請求項１６】
前記コンピュータに、
前記検査データを送信していない状態で前記申込データを送信した場合に、特定の日時までに前記検査データを送信するべきであることを告知するステップを更に含む処理を実行させること
を特徴とする請求項１５に記載のコンピュータプログラム。
【請求項１７】
前記検査データ送信ステップでは、前記申し込み先に関連するアドレス宛の電子メールを用いて、前記通信部により前記検査データを送信すること
を特徴とする請求項１５又は１６に記載のコンピュータプログラム。
【請求項１８】
受付部及び通信部を備えるコンピュータに、
特定の患者に対する遠隔診療の予約の申し込み先の選択を前記受付部により受け付けるステップと、
前記遠隔診療を行う医師が前記特定の患者に対して行われた医療検査の結果を閲覧することを許可する指示を、前記受付部により受け付けるステップと、
前記遠隔診療を行う医師が前記医療検査の結果を閲覧することを許可することを表した許可情報を、前記通信部により外部へ送信するステップと、
選択を受け付けた申し込み先宛の前記遠隔診療の予約の申し込みを表す申込データを、前記通信部により外部へ送信するステップと
を含む処理を実行させることを特徴とするコンピュータプログラム。
【請求項１９】
ディスプレイを備えるコンピュータに、
遠隔診療の予約の申し込みが可能であることを示すメッセージ、又は、遠隔診療の予約の申し込みはできず、遠隔診療を行うべき日時を特定の日時以降とした仮予約の申し込みが可能であることを示すメッセージを前記ディスプレイに表示するステップと、
遠隔診療の予約の申し込みの指示又は仮予約の申し込みの指示を受け付けるためのボタンを前記ディスプレイに表示するステップと
を含む処理を実行させることを特徴とするコンピュータプログラム。
【請求項２０】
日時の候補の中から遠隔診療を行う日時を選択するための選択欄を前記ディスプレイに表示するステップを更に含む処理を実行させること
を特徴とする請求項１９に記載のコンピュータプログラム。
【発明の詳細な説明】
【技術分野】
【０００１】
本発明は、遠隔診療を行うための遠隔診療システム、予約申込装置、予約受付装置及びコンピュータプログラムに関する。
【背景技術】
【０００２】
従来、医師と患者とが互いに離れている状態で診療を行う遠隔診療が利用されている。例えば、テレビ会議システムを用いて、医師が遠隔地にいる患者を診療することが行われる。また、患者が自己採血を行い、検体を検査機関へ送付し、検査機関で血液検査を行うサービスも行われている。特許文献１には、遠隔診療を支援するシステムが開示されている。
【先行技術文献】
【特許文献】
【０００３】
【特許文献１】特開２００５−３５２９６９号公報
【発明の概要】
【発明が解決しようとする課題】
【０００４】
血液検査の結果等の患者に関する検査結果がある場合は、検査結果を利用して遠隔診療を行うことが望ましい。一般的に、遠隔診療を行う医師と検査機関とは一致していないので、医師は検査機関から検査結果を入手する必要がある。しかしながら、検査結果は患者の個人情報であるので、医師は簡単に検査結果を入手することができない。このため、適切な遠隔診療を行うことが困難であるという問題がある。
【０００５】
本発明は、斯かる事情に鑑みてなされたものであって、その目的とするところは、遠隔診療のために患者の同意を得て検査結果を医師に提供することができる遠隔診療システム、予約申込装置、予約受付装置及びコンピュータプログラムを提供することにある。
【課題を解決するための手段】
【０００６】
本発明に係る遠隔診療システムは、遠隔診療の予約を申し込む予約申込装置と、遠隔診療の予約を受け付ける予約受付装置とを備える遠隔診療システムであって、前記予約申込装置は、特定の患者に対する遠隔診療の予約の申し込みを表す申込データを前記予約受付装置へ送信する申込データ送信部を有し、前記予約受付装置は、前記遠隔診療を行う医師が前記特定の患者に対して行われた医療検査の結果を閲覧することが許可されているか否かを判定する判定部と、前記遠隔診療を行う医師が前記医療検査の結果を閲覧することが許可されている場合に、受信した前記申込データに応じて前記遠隔診療の予約を受け付けるための処理を行う予約部とを有することを特徴とする。
【０００７】
本発明に係る遠隔診療システムは、前記遠隔診療を行う医師が内容を閲覧することが可能なデータを記憶する記憶装置を更に備え、前記判定部は、前記特定の患者に対して行われた医療検査の結果を表す検査データが前記記憶装置に記憶されている場合に、前記遠隔診療を行う医師が前記医療検査の結果を閲覧することが許可されていると判定することを特徴とする。
【０００８】
本発明に係る遠隔診療システムは、前記予約申込装置は、前記検査データを、前記遠隔診療の予約の申し込み先に関連付けられた送信先へ送信する検査データ送信部を更に有し、前記記憶装置は、前記送信先へ送信された前記検査データを記憶することを特徴とする。
【０００９】
本発明に係る遠隔診療システムは、前記検査データを記憶している検査データ記憶装置を更に備え、前記予約申込装置は、前記遠隔診療を行う医師が前記医療検査の結果を閲覧することを許可することを表した許可情報を前記予約受付装置へ送信する許可情報送信部を更に有し、前記予約受付装置は、前記許可情報を受信した場合に、前記検査データ記憶装置に記憶されている前記検査データを前記記憶装置に記憶させる記憶制御部を更に有することを特徴とする。
【００１０】
本発明に係る遠隔診療システムは、前記記憶装置は、患者に対する診療の記録を表したデータを記憶していることを特徴とする。
【００１１】
本発明に係る遠隔診療システムは、前記特定の患者に対して行われた医療検査の結果を表す検査データを記憶している検査データ記憶装置を更に備え、前記予約申込装置は、前記遠隔診療を行う医師が前記医療検査の結果を閲覧することを許可することを表した許可情報を前記予約受付装置へ送信する許可情報送信部を更に有し、前記判定部は、前記許可情報に応じた検査データを前記検査データ記憶装置から取得することが可能である場合に、前記遠隔診療を行う医師が前記医療検査の結果を閲覧することが許可されていると判定することを特徴とする。
【００１２】
本発明に係る遠隔診療システムは、前記予約受付装置は、前記遠隔診療を行う医師が前記医療検査の結果を閲覧することが許可されていない場合に、前記遠隔診療を行うべき日時を特定の日時以降とした前記遠隔診療の予約を受け付けるための処理を行う仮予約部と、前記特定の日時までに、前記遠隔診療を行う医師が前記医療検査の結果を閲覧することが許可された状態にならない場合に、前記遠隔診療の予約を取り消す取消部とを更に有し、前記予約申込装置は、前記特定の日時までに前記遠隔診療を行う医師が前記医療検査の結果を閲覧することが許可されるようにするべきであることを告知する告知部を更に有することを特徴とする。
【００１３】
本発明に係る遠隔診療システムは、遠隔診療に関する会計処理を行う会計装置を更に備え、該会計装置は、特定の患者の金融口座を識別する口座情報を記憶する口座情報記憶部と、受け付けられた予約に応じて行われた前記特定の患者に対する遠隔診療の内容を取得する診療内容取得部と、取得した遠隔診療の内容に基づいて、前記医療検査の費用を含んだ診療報酬を算出する算出部と、算出した診療報酬の支払いを要求するための処理を行う支払要求部と、前記口座情報を用いて、支払われた診療報酬の中で前記医療検査の費用に対応する金額を前記特定の患者の金融口座に振り込むための処理を行う振込部とを有することを特徴とする。
【００１４】
本発明に係る遠隔診療システムは、前記算出部は、遠隔診療を行うことによって削減された医療費に応じた減額をせずに前記診療報酬を算出することを特徴とする。
【００１５】
本発明に係る予約申込装置は、遠隔診療の予約を申し込む予約申込装置であって、特定の患者に対して行われた医療検査の結果を表す検査データを記憶する記憶部と、前記特定の患者に対する遠隔診療の予約の申し込み先の選択を受け付ける選択受付部と、前記検査データを、選択を受け付けた申し込み先に関連付けられた送信先へ送信する検査データ送信部と、前記申し込み先宛の前記遠隔診療の予約の申し込みを表す申込データを外部へ送信する申込データ送信部とを備えることを特徴とする。
【００１６】
本発明に係る予約申込装置は、遠隔診療の予約を申し込む予約申込装置であって、特定の患者に対する遠隔診療の予約の申し込み先の選択を受け付ける選択受付部と、前記遠隔診療を行う医師が前記特定の患者に対して行われた医療検査の結果を閲覧することを許可する指示を受け付ける許可受付部と、前記遠隔診療を行う医師が前記医療検査の結果を閲覧することを許可することを表した許可情報を、外部へ送信する許可情報送信部と、選択を受け付けた申し込み先宛の前記遠隔診療の予約の申し込みを表す申込データを、外部へ送信する申込データ送信部とを備えることを特徴とする。
【００１７】
本発明に係る予約申込装置は、遠隔診療の予約を申し込む予約申込装置であって、ディスプレイと、遠隔診療の予約の申し込みが可能であることを示すメッセージ、又は、遠隔診療の予約の申し込みはできず、遠隔診療を行うべき日時を特定の日時以降とした仮予約の申し込みが可能であることを示すメッセージを前記ディスプレイに表示するメッセージ表示部と、遠隔診療の予約の申し込みの指示又は仮予約の申し込みの指示を受け付けるためのボタンを前記ディスプレイに表示するボタン表示部とを備えることを特徴とする。
【００１８】
本発明に係る予約申込装置は、日時の候補の中から遠隔診療を行う日時を選択するための選択欄を前記ディスプレイに表示する選択欄表示部を更に備えることを特徴とする。
【００１９】
本発明に係る予約受付装置は、遠隔診療の予約を受け付ける予約受付装置であって、特定の患者に対する遠隔診療の予約の申し込みを表す申込データを受信する受信部と、前記遠隔診療を行う医師が前記特定の患者に対して行われた医療検査の結果を閲覧することが許可されているか否かを判定する判定部と、前記遠隔診療を行う医師が前記医療検査の結果を閲覧することが許可されている場合に、受信した前記申込データに応じて前記遠隔診療の予約を受け付けるための処理を行う予約部とを備えることを特徴とする。
【００２０】
本発明に係るコンピュータプログラムは、記憶部、受付部及び通信部を備えるコンピュータに、特定の患者に対する遠隔診療の予約の申し込み先の選択を前記受付部により受け付けるステップと、前記記憶部に記憶している前記特定の患者に対して行われた医療検査の結果を表す検査データを、選択を受け付けた申し込み先に関連付けられた送信先へ前記通信部により送信する検査データ送信ステップと、前記申し込み先宛の前記遠隔診療の予約の申し込みを表す申込データを、前記通信部により外部へ送信するステップとを含む処理を実行させることを特徴とする。
【００２１】
本発明に係るコンピュータプログラムは、前記コンピュータに、前記検査データを送信していない状態で前記申込データを送信した場合に、特定の日時までに前記検査データを送信するべきであることを告知するステップを更に含む処理を実行させることを特徴とする。
【００２２】
本発明に係るコンピュータプログラムは、前記検査データ送信ステップでは、前記申し込み先に関連するアドレス宛の電子メールを用いて、前記通信部により前記検査データを送信することを特徴とする。
【００２３】
本発明に係るコンピュータプログラムは、受付部及び通信部を備えるコンピュータに、特定の患者に対する遠隔診療の予約の申し込み先の選択を前記受付部により受け付けるステップと、前記遠隔診療を行う医師が前記特定の患者に対して行われた医療検査の結果を閲覧することを許可する指示を、前記受付部により受け付けるステップと、前記遠隔診療を行う医師が前記医療検査の結果を閲覧することを許可することを表した許可情報を、前記通信部により外部へ送信するステップと、選択を受け付けた申し込み先宛の前記遠隔診療の予約の申し込みを表す申込データを、前記通信部により外部へ送信するステップとを含む処理を実行させることを特徴とする。
【００２４】
本発明に係るコンピュータプログラムは、ディスプレイを備えるコンピュータに、遠隔診療の予約の申し込みが可能であることを示すメッセージ、又は、遠隔診療の予約の申し込みはできず、遠隔診療を行うべき日時を特定の日時以降とした仮予約の申し込みが可能であることを示すメッセージを前記ディスプレイに表示するステップと、遠隔診療の予約の申し込みの指示又は仮予約の申し込みの指示を受け付けるためのボタンを前記ディスプレイに表示するステップとを含む処理を実行させることを特徴とする。
【００２５】
本発明に係るコンピュータプログラムは、日時の候補の中から遠隔診療を行う日時を選択するための選択欄を前記ディスプレイに表示するステップを更に含む処理を実行させることを特徴とする。
【００２６】
本発明においては、遠隔診療の予約を申し込むために、予約申込装置が予約受付装置へ申込データを送信し、予約受付装置は、遠隔診療を行う医師が患者の医療検査の結果を閲覧することが許可されている場合に、遠隔診療の予約を受け付ける。患者の医療検査の結果が医師に提供されることを条件として、遠隔診療の予約が行われる。
【００２７】
また、本発明においては、医師がデータの内容を閲覧することができる記憶装置に、医療検査の結果を表す検査データが記憶されている場合に、予約受付装置は、医師が患者の医療検査の結果を閲覧することが許可されていると判定する。医師がデータの内容を閲覧することができる記憶装置に、患者から提供された検査データが記憶されている場合は、医師が医療検査の結果を閲覧することが可能となり、遠隔診療の予約が行われる。
【００２８】
また、本発明においては、予約申込装置は、医師等の予約の申し込み先に関連付けられた送信先へ電子メール等の方法で検査データを送信し、記憶装置は、送信された検査データを記憶する。このようにして、患者は、遠隔診療の予約の申し込み先へ医療検査の結果を提供する。
【００２９】
また、本発明においては、予約申込装置は、医師が患者の医療検査の結果を閲覧することを許可することを表した許可情報を予約受付装置へ送信し、予約受付装置は、許可情報に応じて、検査データ記憶装置に記憶されている検査データを記憶装置に記憶させる。検査データ記憶装置から取得された検査データが記憶装置に記憶され、医師が医療検査の結果を閲覧することが可能となる。
【００３０】
また、本発明においては、記憶装置は、患者に対する診療の記録を表したデータを記憶している。患者に対する医療検査の結果と診療の記録とがまとめて保存される。
【００３１】
また、本発明においては、予約申込装置は、医師が患者の医療検査の結果を閲覧することを許可することを表した許可情報を予約受付装置へ送信し、許可情報に応じた検査データを検査データ記憶装置から取得することが可能である場合に、予約受付装置は、医師が患者の医療検査の結果を閲覧することが許可されていると判定する。
【００３２】
また、本発明においては、予約申込装置は、遠隔診療の予約の申し込みが可能であることを示すメッセージ、又は、遠隔診療の予約の申し込みはできず、仮予約の申し込みが可能であることを示すメッセージを表示する。ユーザは、遠隔診療の予約の申し込みが可能な状態であるか否かを確認することができる。
【００３３】
また、本発明においては、予約申込装置は、遠隔診療を行う日時を選択するための選択欄を表示する。ユーザは、日時を指定して遠隔診療の予約又は仮予約の申し込みを行うことができる。
【００３４】
また、本発明においては、予約受付装置は、医師が患者の医療検査の結果を閲覧することが許可されていない場合に、遠隔診療を行う日時を特定の日時以降とした遠隔診療の予約を受け付ける。特定の日時までに医師が患者の医療検査の結果を閲覧することが許可されない場合は、予約は取り消される。予約申込装置は、特定の日時までに検査データを送信すべきことを告知する等、特定の日時までに医師が患者の医療検査の結果を閲覧することが許可されるように、告知を行う。このため、医師は医療検査の結果を入手した状態で遠隔診療を行うことになる。
【００３５】
また、本発明においては、会計装置は、遠隔診療の内容に基づいて、医療検査の費用を含んだ診療報酬を算出し、支払われた診療報酬の内で医療検査の費用に対応する金額を患者の金融口座に振り込むための処理を行う。医療検査に関して削減されたコストに対応する費用が患者へ払い戻される。
【００３６】
また、本発明においては、会計装置は、医療機関には、遠隔診療を行うことによって削減された医療費に応じた減額をせずに、診療報酬を算出する。減額をしない診療報酬が支払われ、医療機関にとっては、遠隔診療を行うことによって医療費を削減した分の収益が増加する。
【発明の効果】
【００３７】
本発明にあっては、医師は確実に医療検査の結果を入手した状態で遠隔診療を行うことになり、医療検査の結果を利用した遠隔診療を行うことができる。従って、適切な遠隔診療が行われる等、本発明は優れた効果を奏する。
【図面の簡単な説明】
【００３８】
【図１】遠隔診療の概念図である。
【図２】遠隔診療システムの構成例を示す模式図である。
【図３】実施形態１に係る患者用端末装置の機能構成を示す機能ブロック図である。
【図４】患者用端末装置の具体的な構成例を示すブロック図である。
【図５】医師用端末装置の具体的な構成例を示すブロック図である。
【図６】実施形態１に係る予約受付装置の機能構成を示す機能ブロック図である。
【図７】予約受付装置の具体的な構成例を示すブロック図である。
【図８】検査データ記憶装置の具体的な構成例を示すブロック図である。
【図９】電子カルテ記憶装置の具体的な構成例を示すブロック図である。
【図１０】会計装置の機能構成を示す機能ブロック図である。
【図１１】会計装置の具体的な構成例を示すブロック図である。
【図１２】実施形態１に係る遠隔診療システムが医療検査の結果の提供と遠隔診療の予約とを行う処理の手順を示すフローチャートである。
【図１３】実施形態１に係る遠隔診療システムが医療検査の結果の提供と遠隔診療の予約とを行う処理の手順を示すフローチャートである。
【図１４】会計装置が実行する会計処理の手順を示すフローチャートである。
【図１５】実施形態２に係る遠隔診療システムが医療検査の結果の提供と遠隔診療の予約とを行う処理の手順を示すフローチャートである。
【図１６】実施形態２に係る遠隔診療システムが医療検査の結果の提供と遠隔診療の予約とを行う処理の手順を示すフローチャートである。
【図１７】実施形態３に係る遠隔診療システムが医療検査の結果の提供と遠隔診療の予約とを行う処理の手順を示すフローチャートである。
【図１８】実施形態４に係る患者用端末装置の機能構成を示す機能ブロック図である。
【図１９】実施形態４に係る予約受付装置の機能構成を示す機能ブロック図である。
【図２０】実施形態４に係る遠隔診療システムが医療検査の結果の提供と遠隔診療の予約とを行う処理の手順を示すフローチャートである。
【図２１】実施形態５に係る遠隔診療システムが医療検査の結果の提供と遠隔診療の予約とを行う処理の手順を示すフローチャートである。
【図２２】実施形態５に係る遠隔診療システムが医療検査の結果の提供と遠隔診療の予約とを行う処理の手順を示すフローチャートである。
【図２３】実施形態６に係る患者用端末装置が遠隔診療の予約の状態を確認する処理の手順を示すフローチャートである。
【図２４】患者用端末装置が遠隔診療の予約の状態を出力した例を示す模式図である。
【図２５】患者用端末装置が遠隔診療の予約の状態を出力した例を示す模式図である。
【発明を実施するための形態】
【００３９】
以下本発明をその実施形態を示す図面に基づき具体的に説明する。
＜実施形態１＞
図１は、遠隔診療の概念図である。患者１０は、医療機関で初回の診療を受け、血液検査等の必要な医療検査を受ける。以降は、患者１０は、自己採血を行い、血液の検体を検査機関へ送付する。なお、患者１０は、尿又は細胞片等の血液以外の検体を自己で採取して、検査機関へ送付してもよい。検査機関では、検体に対して医療検査を行い、医療検査の検査結果を患者１０へ渡す。次に、患者１０が使用する患者用端末装置１と医師２０が使用する医師用端末装置２との間で通信を行い、医師２０による患者１０に対する遠隔診療が行われる。この際に、患者１０は医療検査の検査結果を医師２０へ提供し、医師２０は検査結果を利用して遠隔診療を行う。遠隔診療を行う医師２０が所属する医療機関は、患者１０が初回の診療を受けた医療機関とは異なる医療機関であってもよい。医療機関は、遠隔診療の内容に応じた診療報酬の請求を診療報酬の支払機関に対して行い、支払機関は医療機関に対して診療報酬の支払を行う。
【００４０】
図２は、遠隔診療システムの具体的な構成例を示す模式図である。遠隔診療システムは、遠隔診療のために必要な各種の処理を実行するシステムである。本実施形態においては、遠隔診療システムにより、患者１０から医師２０への医療検査の結果の提供と、遠隔診療の予約と、診療報酬の支払とを行う。患者１０が使用する患者用端末装置１は、インターネット等の通信ネットワーク７１に接続されている。図中には、患者用端末装置１が無線通信により通信ネットワーク７１に接続された例を示している。患者用端末装置１は有線通信により通信ネットワーク７１に接続されてもよい。患者１０は、患者用端末装置１を用いて遠隔診療の申し込みを行う。患者用端末装置１は、予約申込装置に対応する。
【００４１】
遠隔診療システムは、遠隔診療の予約を受け付けるための処理を行う予約受付装置３を備えている。予約受付装置３は、通信ネットワーク７１に接続されている。検査機関には、検査データ記憶装置４が設けられており、検査データ記憶装置４は通信ネットワーク７１に接続されている。検査データ記憶装置４は、検査機関が行った医療検査の結果を記憶するための装置であり、患者１０に対して行われた医療検査の結果を表す検査データを記憶している。検査データ記憶装置４は、検査機関の建物の中に設けられている必要は無い。医療機関には、医師２０が使用する医師用端末装置２と、患者に対する診療の記録を電子化した電子カルテを記憶する電子カルテ記憶装置５と、会計処理を行う会計装置６とを備えている。医師用端末装置２、電子カルテ記憶装置５及び会計装置６は、医療機関に設けられたＬＡＮ（Local Area Network）７２に接続され、ＬＡＮ７２を介して通信ネットワーク７１に接続されている。ＬＡＮ７２は通信ネットワーク７１に接続されている。医師用端末装置２、電子カルテ記憶装置５及び会計装置６は、医療機関の建物の中に設けられている必要は無い。
【００４２】
図３は、実施形態１に係る患者用端末装置１の機能構成を示す機能ブロック図である。患者用端末装置１は、データを記憶する記憶部１２１を備えている。また、患者用端末装置１は、患者１０が受けようとする遠隔診療の予約の申し込み先の選択を患者１０から受け付ける選択受付部１１１を備えている。遠隔診療の予約の申し込み先は、例えば医療機関又は医師である。また、患者用端末装置１は、遠隔診療を行う医師１０へ医療検査の結果を提供するために検査データを送信する検査データ送信部１１２と、遠隔診療の予約の申し込みを表す申込データを送信する申込データ送信部１１３とを備えている。また、患者用端末装置１は、特定の日時までに必要な処理を行うべきことを患者１０に対して告知する告知部１１４を備えている。
【００４３】
図４は、患者用端末装置１の具体的な構成例を示すブロック図である。患者用端末装置１は、スマートフォン、タブレット又はＰＣ（パーソナルコンピュータ）等のコンピュータで構成されている。患者用端末装置１は、演算を行う演算部１１と、ＲＡＭ（Random Access Memory）１２と、不揮発性記憶部１３と、患者１０から情報の入力を受け付ける受付部１４と、情報を出力する出力部１５と、外部との間で通信を行って通信ネットワーク７１に接続される通信部１６と、カメラ１７とを備えている。例えば、不揮発性記憶部１３はハードディスク又は不揮発性の半導体メモリである。不揮発性記憶部１３は、コンピュータプログラム１８を記憶している。コンピュータプログラム１８は、通信部１６を通じてダウンロードされて不揮発性記憶部１３に記憶されるか、又は予め不揮発性記憶部１３に記憶されている。受付部１４は、患者１０による操作を受け付け、操作によって入力される情報の入力を受け付ける。例えば、受付部１４はタッチパネル、キーボード又は音声入力部である。出力部１５は、画像の表示又は音声の出力等によって情報を出力する。例えば、出力部１５は、ディスプレイ又はスピーカである。カメラ１７は遠隔診療のときに用いられる。演算部１１は、コンピュータプログラム１８に従って、各種の処理を実行し、患者用端末装置１の各部を制御する。演算部１１がコンピュータプログラム１８に従った処理及び制御を行うことにより、選択受付部１１１、検査データ送信部１１２、申込データ送信部１１３及び告知部１１４が実現される。記憶部１２１は、ＲＡＭ１２及び不揮発性記憶部１３から構成される。なお、コンピュータプログラム１８は、光ディスク等の記録媒体から読み出されて不揮発性記憶部１３に記憶されてもよい。また、選択受付部１１１、検査データ送信部１１２、申込データ送信部１１３及び告知部１１４の一部又は全部は、ソフトウェアを用いた処理によって実現されるのではなく、ハードウェアによって構成されていてもよい。
【００４４】
図５は、医師用端末装置２の具体的な構成例を示すブロック図である。医師用端末装置２は、ＰＣ等のコンピュータで構成されている。医師用端末装置２は、演算を行うＣＰＵ（Central Processing Unit ）２１と、ＲＡＭ２２と、不揮発性記憶部２３と、医師２０から情報の入力を受け付ける受付部２４と、出力部２５と、外部との間で通信を行ってＬＡＮ７２に接続される通信部２６と、カメラ２７とを備えている。不揮発性記憶部２３は、コンピュータプログラム２３１を記憶している。カメラ２７は遠隔診療の時に用いられる。ＣＰＵ２１は、コンピュータプログラム２３１に従って、各種の処理を実行し、医師用端末装置２の各部を制御する。
【００４５】
図６は、実施形態１に係る予約受付装置３の機能構成を示す機能ブロック図である。予約受付装置３は、情報処理を行う処理部３０１と、外部との間で通信を行って通信ネットワーク７１に接続される通信部３４とを備えている。処理部３０１は、遠隔診療の予約が申し込まれたときに、遠隔診療を行う医師が患者の医療検査の結果を閲覧することが許可されているか否かを判定する許可判定部３１１を有している。また、予約受付装置３は、遠隔診療の予約を受け付けるための処理を行う予約部３１２と、遠隔診療の予約を制限付きで受け付けるための処理を行う仮予約部３１３と、予約を取り消す取消部３１４とを有している。通信部３４は受信部に対応する。
【００４６】
図７は、予約受付装置３の具体的な構成例を示すブロック図である。予約受付装置３は、サーバ装置等のコンピュータで構成されている。予約受付装置３は、演算を行うＣＰＵ３１と、ＲＡＭ３２と、不揮発性記憶部３３と、通信部３４とを備えている。不揮発性記憶部３３は、コンピュータプログラム３３１を記憶している。コンピュータプログラム３３１は、光ディスク等の記録媒体から読み出されて不揮発性記憶部３０１に記憶されるか、又は、通信部３４を介してダウンロードされて不揮発性記憶部３０１に記憶される。ＣＰＵ３１は、コンピュータプログラム３３１に従って、各種の処理を実行し、予約受付装置３の各部を制御する。ＣＰＵ３１がコンピュータプログラム３３１に従った処理及び制御を行うことにより、処理部３０１が実現される。
【００４７】
図８は、検査データ記憶装置４の具体的な構成例を示すブロック図である。検査データ記憶装置４は、サーバ装置等のコンピュータで構成されている。検査データ記憶装置４は、演算を行うＣＰＵ４１と、ＲＡＭ４２と、不揮発性記憶部４３と、外部との間で通信を行って通信ネットワーク７１に接続される通信部４４とを備えている。不揮発性記憶部４３は、コンピュータプログラム４３１を記憶している。ＣＰＵ４１は、コンピュータプログラム４３１に従って、各種の処理を実行し、検査データ記憶装置４の各部を制御する。コンピュータプログラム４３１は、ウェブサーバ用のプログラムを含んでおり、不揮発性記憶部４３は、ウェブ用データ４３３を記憶している。ＣＰＵ４１がコンピュータプログラム４３１に従った処理を行うことによって、検査データ記憶装置４はウェブサーバとして機能する。また、不揮発性記憶部４３は、過去に検査機関で医療検査を行った患者の夫々について、医療検査の結果を表す検査データ４３２を記憶している。
【００４８】
図９は、電子カルテ記憶装置５の具体的な構成例を示すブロック図である。電子カルテ記憶装置５は、サーバ装置等のコンピュータで構成されている。電子カルテ記憶装置５は、演算を行うＣＰＵ５１と、ＲＡＭ５２と、不揮発性記憶部５３と、通信部５４とを備えている。不揮発性記憶部５３は、コンピュータプログラム５３１を記憶している。ＣＰＵ５１は、コンピュータプログラム５３１に従って、各種の処理を実行し、電子カルテ記憶装置５の各部を制御する。また、不揮発性記憶部５３は、過去に医療機関で診療を受けた患者の夫々について、診療の記録を電子化した電子カルテであるカルテデータ５３２を記憶している。
【００４９】
図１０は、会計装置６の機能構成を示す機能ブロック図である。会計装置６は、情報処理を行う処理部６０１と、診療を受けた患者の口座情報を記憶する口座情報記憶部６０２と、外部との間で通信を行ってＬＡＮ７２に接続される通信部６６とを備えている。処理部６０１は、遠隔診療が行われた後に遠隔診療の内容を取得する診療内容取得部６１１と、診療報酬を算出する算出部６１２と、診療報酬の支払いを要求するための処理を行う支払要求部６１３と、患者の金融口座への振り込みのための処理を行う振込部６１４とを有している。
【００５０】
図１１は、会計装置６の具体的な構成例を示すブロック図である。会計装置６は、ＰＣ又はサーバ装置等のコンピュータで構成されている。会計装置６は、ＣＰＵ６１と、ＲＡＭ６２と、不揮発性記憶部６３と、情報の入力を受け付ける受付部６４と、情報を出力する出力部６５と、通信部６６とを備えている。不揮発性記憶部６３は、コンピュータプログラム６３１を記憶している。出力部６５はプリンタを含んでいてもよい。ＣＰＵ６１は、コンピュータプログラム６３１に従って、各種の処理を実行し、会計装置６の各部を制御する。不揮発性記憶部６３は、遠隔診療を受けた患者の夫々について、患者１０の金融口座を識別する口座番号等の口座情報６３２を記憶している。不揮発性記憶部６３が口座情報６３２を記憶していることによって、口座情報記憶部６０２が実現される。ＣＰＵ６１がコンピュータプログラム６３１に従った処理及び制御を行うことにより、処理部６０１が実現される。
【００５１】
次に、遠隔診療システムにより、患者１０から医師２０への医療検査の結果の提供と、遠隔診療の予約とを行う処理を説明する。図１２及び図１３は、実施形態１に係る遠隔診療システムが医療検査の結果の提供と遠隔診療の予約とを行う処理の手順を示すフローチャートである。患者用端末装置１は、通信ネットワーク７１を通じて検査データ記憶装置４にアクセスする。演算部１１は、コンピュータプログラム１８に含まれるウェブブラウザのプログラムを実行し、検査データ記憶装置４の不揮発性記憶部４３に記憶されたウェブ用データ４３３に基づいたウェブページを出力部１５に表示させる。受付部１４は、ＩＤ及びパスワード等、患者１０に対する医療検査の結果を現した検査データを取得するために必要な情報を、患者１０の操作により受け付ける。演算部１１は、受け付けた情報及び検査データの送信の指示を通信部１６に検査データ記憶装置４へ送信させる。検査データ記憶装置４のＣＰＵ４１は、受信した情報に基づいて、不揮発性記憶部４３に記憶している検査データ４３２の中から、患者１０に係る検査データを読み出し、通信部４４に検査データを患者用端末装置１へ送信させる（Ｓ１０１）。
【００５２】
患者用端末装置１は、検査データ記憶装置４から送信された検査データを通信部４４で受信し（Ｓ１０２）、不揮発性記憶部１３は検査データを記憶する（Ｓ１０３）。受付部１４は、次に、患者１０の操作により、遠隔診療の予約の申し込み先である医師又は医療機関の選択を受け付け（Ｓ１０４）、選択された申し込み先への検査データの送信指示を受け付ける（Ｓ１０５）。例えば、ウェブ用データ４３３に基づいたウェブページには、検査機関に提携してある医師又は医療機関のリストが含まれている。Ｓ１０４では、ウェブページ上でリスト中から医師又は医療機関が選択され、Ｓ１０５では、演算部１１は、選択された申し込み先のアドレスが宛先として入力されたメーラを起動し、検査データを添付した電子メールを生成し、受付部１４は、電子メールの送信指示を受け付ける。また、例えば、演算部１１がメーラを起動し、予め受信されている申し込み先からの電子メールに返信する電子メールを作成することの指示を受付部１４が受け付けることにより、Ｓ１０４の処理が実行され、Ｓ１０５では、演算部１１は検査データを添付した電子メールを生成し、受付部１４は電子メールの送信指示を受け付ける。また、例えば、演算部１１がメーラを起動し、患者１０の操作による申し込み先のアドレスの入力を受付部１４で受け付けることにより、Ｓ１０４の処理が実行される。演算部１１は、次に、検査データが添付され、選択された申し込み先を宛先にした電子メールを通信部１６に送信させることにより、検査データを申し込み先へ送信する（Ｓ１０６）。
【００５３】
なお、本実施形態では、患者用端末装置１は、電子メール以外の方法で検査データを送信してもよい。例えば、患者用端末装置１は、申し込み先へデータを所定の記憶装置へアップロードするためのウェブページにアクセスし、ウェブページを利用して検査データをアップロードする指示を受付部１４が受け付け、演算部１１は通信部１６に検査データを記憶装置へ送信させる。また、例えば、演算部１１は、コンピュータプログラム１８に含まれるアップローダのプログラムを実行し、検査データを所定の記憶装置へアップロードする指示を受付部１４が受け付け、通信部１６は検査データを記憶装置へ送信する。Ｓ１０４の処理は選択受付部１１１に対応し、Ｓ１０６の処理は検査データ送信部１１２に対応する。
【００５４】
患者用端末装置１は、次に、選択された申し込み先への遠隔診療の申込指示を受け付ける（Ｓ１０７）。例えば、演算部１１は、申込指示を受け付けるための受付画面を出力部１５に表示し、患者１０の操作により受付部１４は申込指示を受け付ける。演算部１１は、次に、遠隔診療の予約の申し込みを表す申込データを通信部１６に予約受付装置３へ送信させる（Ｓ１０８）。申込データには、患者１０を示す情報と、選択された申し込み先を示す情報と、遠隔診療の予約を申し込むことを示す情報とが含まれている。Ｓ１０８の処理は、申込データ送信部１１３に対応する。
【００５５】
患者用端末装置１から電子メールの送信によって送信された検査データは、メールサーバ装置に記憶され、最終的に医師用端末装置２へ送信され、医師用端末装置２は検査データを受信する（Ｓ１０９）。例えば、申し込み先が医師２０である場合は、検査データが添付された電子メールが医師２０のアドレスが示すメールサーバ装置へ送信され、メールサーバ装置から医師用端末装置２へ電子メールが送信され、医師用端末装置２は電子メールを受信することによって検査データを受信する。また例えば、申し込み先が医療機関である場合は、医療機関のアドレスが示すメールサーバ装置へ電子メールが送信され、医療機関で遠隔診療を行うべき医師２０が決定され、決定された医師２０が使用する医師用端末装置２へ電子メールが送信され、医師用端末装置２は検査データを受信する。電子メールを用いずに検査データが記憶装置にアップデートされた場合でも、最終的に医師用端末装置２へ検査データが送信され、医師用端末装置２は検査データを受信する。医師用端末装置２は、受信した検査データを不揮発性記憶部２３に記憶する（Ｓ１１０）。ＣＰＵ２１は、次に、検査データを記憶していることを示す記憶情報を、通信部５４に予約受付装置３へ送信させる（Ｓ１１１）。
【００５６】
予約受付装置３は、医師用端末装置２から送信された記憶情報を通信部３４で受信し（Ｓ１１２）、不揮発性記憶部３３に記憶情報を記憶する（Ｓ１１３）。また、予約受付装置３は、患者用端末装置１から送信された申込データを通信部３４で受信する（Ｓ１１４）。ＣＰＵ３１は、次に、申込データに基づいて、予約される遠隔診療を行うべき医師２０を特定し、医師２０が使用する医師用端末装置２に患者１０に係る検査データが記憶されていることを示す記憶情報が不揮発性記憶部３３に記憶されているか否かを判定する（Ｓ１１５）。記憶情報が記憶されている場合は（Ｓ１１５：ＹＥＳ）、ＣＰＵ３１は、遠隔診療の予約を受け付けるための予約処理を行う（Ｓ１１６）。予約処理には、日時等を確定して予約を受け付ける処理が含まれる。ＣＰＵ３１は、予約内容を不揮発性記憶部３３に記憶する。なお、予約処理には、患者１０が希望する日時では予約ができないために、予約の申し込みを断る処理、又は日時若しくは遠隔診療を行うべき医師２０を変更する処理等の他の処理が含まれていてもよい。医師用端末装置２は、記憶装置に対応する。Ｓ１１５の処理は許可判定部３１１に対応し、Ｓ１１６の処理は予約部３１２に対応する。
【００５７】
記憶情報が記憶されていない場合は（Ｓ１１５：ＮＯ）、ＣＰＵ３１は、仮予約を受け付けるための仮予約処理を行う（Ｓ１１７）。仮予約は、特定の日時までに検査データが医師用端末装置２に記憶されていることを前提とし、遠隔診療を行うべき日時を特定の日時以降とした予約である。特定の日時は、ＣＰＵ３１が決定してもよく、申込データに記録されていてもよい。仮予約処理には、仮予約を受け付ける処理が含まれる。また、仮予約処理には、仮予約を受け付ける処理以外の処理が含まれていてもよい。Ｓ１１７の処理は、仮予約部３１３に対応する。
【００５８】
Ｓ１１６又はＳ１１７が終了した後は、ＣＰＵ３１は、予約申込の結果を示す申込結果を通信部３４に患者用端末装置１へ送信させる（Ｓ１１８）。申込結果には、予約を受け付けたこと、予約ができないこと、日時等に変更があること、仮予約を受け付けたこと、又は特定の日時までに検査データを送信すべきこと等の情報が含まれる。例えば、ＣＰＵ３１は、電子メールを用いて申込結果を送信する。ＣＰＵ３１は、次に、医師２０に対して患者１０に係る医療検査の結果を閲覧することを要求する閲覧要求を、通信部２６に医師用端末装置２へ送信させる（Ｓ１１９）。例えば、ＣＰＵ３１は、電子メールを用いて閲覧要求を送信する。更に、ＣＰＵ３１は、必要なタイミングで、特定の日時までに検査データが医師用端末装置２に記憶されることが無かった期限切れの仮予約を取り消す処理を行う（Ｓ１２０）。Ｓ１２０の処理は、取消部３１４に対応する。Ｓ１２０の処理が終了した後は、予約受付装置３は処理を終了する。
【００５９】
患者用端末装置１は、予約受付装置３から送信された申込結果を通信部１６で受信する（Ｓ１２１）。演算部１１は、受信した申込結果に基づいて、仮予約が行われた否かを判定する（Ｓ１２２）。仮予約が行われている場合（Ｓ１２２：ＹＥＳ）、演算部１１は、特定の日時までに検査データを送信するべきであることを告知する処理を行う（Ｓ１２３）。例えば、演算部１１は、特定の日時までに検査データを送信するべきであることを警告する画像を随時出力部１５に表示させる処理を行う。Ｓ１２３の処理は、告知部１１４に対応する。仮予約が行われていない場合（Ｓ１２２：ＮＯ）、又はＳ１２３の処理が終了した後は、患者用端末装置１は処理を終了する。
【００６０】
医師用端末装置２は、予約受付装置３から送信された閲覧要求を通信部２６で受信する（Ｓ１２４）。ＣＰＵ２１は、不揮発性記憶部２３で記憶している検査データが表す医療検査の検査結果を出力部２５で出力する（Ｓ１２５）。医師２０は、出力された検査結果を閲覧する。医師２０の操作により受付部２４は検査データの送信処理を受け付け、ＣＰＵ２１は、通信部２６に検査データを電子カルテ記憶装置５へ送信させる（Ｓ１２６）。電子カルテ記憶装置５は、検査データを通信部５４で受信する（Ｓ１２７）。ＣＰＵ５１は、受信した検査データをカルテデータ５３２に追加することにより、検査データを不揮発性記憶部５３に記憶する（Ｓ１２８）。Ｓ１２８の処理が終了した後は、電子カルテ記憶装置５は処理を終了する。
【００６１】
以上の処理によって、患者１０から医師２０への医療検査の結果の提供と、遠隔診療の予約とが行われる。後日、予約に従って、患者１０と医師２０との間で遠隔診療が行われる。例えば、患者用端末装置１と医師用端末装置２とが通信ネットワーク７１を通じて接続され、映像及び音声が患者用端末装置１と医師用端末装置２との間で交換され、医師２０は、患者１０に対する医療検査の結果を用いて遠隔診療を行う。遠隔診療の内容は、カルテデータ５３２に記録される。なお、予約の処理で用いる患者用端末装置１と、遠隔診療のときに患者１０が使用する装置とは別の装置であってもよい。また、予約の処理で用いる医師用端末装置２と、遠隔診療のときに医師２０が使用する装置とは別の装置であってもよい。
【００６２】
以上詳述した如く、本実施形態においては、遠隔医療システムを用い、患者１０から医師２０へ医療検査の結果が提供され、医療検査の結果が提供されることを条件として、遠隔診療の予約が行われる。患者１０の意思で医療検査の結果が医師２０へ提供されるので、医師２０は患者１０の同意を得て患者１０の個人情報である医療検査の結果を取得することができる。患者１０から医師２０へ医療検査の結果が提供されてから遠隔診療の予約がなされるので、医師２０は確実に医療検査の結果を入手した状態で遠隔診療を行うことになる。医師２０は医療検査の結果を利用した遠隔診療を行うことができるので、適切な遠隔診療を行うことができる。従って、本実施形態に係る遠隔医療システムにより、適切な遠隔診療を容易に行うことが可能となる。
【００６３】
次に、遠隔診療システムにより行われる会計処理を説明する。図１４は、会計装置６が実行する会計処理の手順を示すフローチャートである。患者１０に対する遠隔診療が終了した後、会計装置６のＣＰＵ６１は、通信部６６を用いて、ＬＡＮ７２を通じて電子カルテ記憶装置５にアクセスし、カルテデータ５３２に記録された遠隔診療の内容を取得する（Ｓ２１）。Ｓ２１の処理は、診療内容取得部６１１に対応する。ＣＰＵ６１は、取得した遠隔診療の内容をＲＡＭ６２又は不揮発性記憶部６３に記憶し、患者１０に対する遠隔診療の内容に基づいて、遠隔診療に応じた診療報酬を算出する（Ｓ２２）。Ｓ２２では、ＣＰＵ６１は、患者１０が自己で検体を採取して行われた医療検査のための費用を含んだ診療報酬を算出する。また、遠隔診療では、患者１０と医師２０とが実際に対面して診療を行う場合に比べて、コストが減少し、実際に発生する医療費が削減される。Ｓ２２では、ＣＰＵ６１は、遠隔診療を行うことによって削減された医療費に応じた減額をせずに、診療報酬を算出する。Ｓ２２の処理は、算出部６１２に対応する。
【００６４】
ＣＰＵ６１は、次に、診療報酬の支払機関に対して算出した診療報酬の支払を要求するための支払い要求処理を行う（Ｓ２３）。例えば、Ｓ２３では、ＣＰＵ６１は、通信ネットワーク７１を通じて、支払機関が支払いの処理に利用している装置へ、診療報酬の金額を示す情報を含む支払要求を送信する。また、例えば、ＣＰＵ６１は、金額を記録した診療報酬明細書を作成し、作成した診療報酬明細書を出力部６５に出力させる。Ｓ２３の処理は、支払要求部６１３に対応する。
【００６５】
診療報酬の支払が要求された後、診療報酬が支払われ、ＣＰＵ６１は、支払いを受け付けるための支払受付処理を行う（Ｓ２４）。例えば、Ｓ２４では、ＣＰＵ６１は、通信ネットワーク７１を通じて、医療機関の金融口座に診療報酬が入金されたことを確認する処理を行う。また、例えば、ＣＰＵ６１は、診療報酬が支払われたことを示す情報の入力を、オペレータの操作により受付部６４で受け付ける処理を行う。ＣＰＵ６１は、次に、支払われた診療報酬の内で、患者１０が自己で検体を採取して行われた医療検査のための費用に対応する金額を、患者１０の金融口座へ振り込むための処理を行う（Ｓ２５）。患者１０が自己で検体を採取することにより、医療検査に必要なコストが削減される。遠隔診療の費用の一部は、患者１０から医療機関へ支払われており、医療検査の費用の一部も支払われた費用に含まれている。医療検査のための費用に対応する金額が患者１０の金融口座へ振り込まれることにより、患者１０が自己で検体を採取することによって削減されたコストに対応する費用が払い戻される。例えば、Ｓ２５では、ＣＰＵ６１は、通信ネットワーク７１を通じて患者１０の金融口座へ振込を行う。また、例えば、ＣＰＵ６１は、支払伝票を出力部６５に出力させる。出力された支払伝票に従って、振込が行われる。また、医療機関は予め患者１０からクレジットカードを利用した支払いを受けて置き、会計装置６は、クレジットカードを利用して払い戻しをするための処理を行ってもよい。Ｓ２５の処理は、振込部６１４に対応する。Ｓ２５の処理が終了した後、会計装置６は、処理を終了する。
【００６６】
以上のように、本実施形態においては、患者１０が自己で検体を採取することにより削減されたコストに対応する費用が患者１０へ払い戻される。このため、患者１０にとっては医療費が減少する。また、本実施形態においては、医療機関には、遠隔診療を行うことによって削減された医療費に応じた減額をせずに、診療報酬が支払われる。このため、医療機関にとっては、遠隔診療を行うことによって医療費を削減した分だけ、収益が増加することとなる。
【００６７】
＜実施形態２＞
実施形態２においては、患者１０が医療検査の結果を医療機関へ郵送で送付する形態を示す。遠隔診療システムの構成は、実施形態１と同様である。実施形態１と同様に、患者１０は、自己で検体を採取し、検査機関へ送付し、検査機関は、医療検査を行う。例えば、医療検査の結果は患者１０へ郵送され、患者１０は医療検査の結果を医療機関へ郵送する。また、例えば、患者１０は、患者用端末装置１を用いて検査データ記憶装置４から検査データを取得し、検査データに基づいて医療検査の結果を印刷し、印刷した医療検査の結果を医療機関へ郵送する。
【００６８】
図１５及び図１６は、実施形態２に係る遠隔診療システムが医療検査の結果の提供と遠隔診療の予約とを行う処理の手順を示すフローチャートである。医療機関では、患者１０から郵送された医療検査の結果を受け取り、医療検査の結果をスキャンして、患者１０に対する医療検査の結果を現した検査データを作成する。電子カルテ記憶装置５は、作成された検査データをカルテデータ５３２に追加することにより、検査データを不揮発性記憶部５３に記憶する（Ｓ３０１）。ＣＰＵ５１は、次に、検査データを記憶していることを示す記憶情報を、通信部５４に予約受付装置３へ送信させる（Ｓ３０２）。電子カルテ記憶装置５は、記憶装置に対応する。予約受付装置３は、電子カルテ記憶装置５から送信された記憶情報を通信部３４で受信し（Ｓ３０３）、不揮発性記憶部３３に記憶情報を記憶する（Ｓ３０４）。
【００６９】
患者用端末装置１は、受付部１４で、患者１０の操作により、遠隔診療の予約の申し込み先である医師又は医療機関の選択を受け付ける（Ｓ３０５）。例えば、演算部１１は、コンピュータプログラム１８に従って、申し込み先を選択するための受付画面を出力部１５に表示し、患者１０の操作により受付部１４は選択を受け付ける。患者用端末装置１は、次に、受付部１４で、患者１０の操作により、選択された申し込み先への遠隔診療の申込指示を受け付ける（Ｓ３０６）。演算部１１は、次に、遠隔診療の予約の申し込みを表す申込データを通信部１６に予約受付装置３へ送信させる（Ｓ３０７）。Ｓ３０７の処理は、申込データ送信部１１３に対応する。
【００７０】
予約受付装置３は、患者用端末装置１から送信された申込データを通信部３４で受信する（Ｓ３０８）。ＣＰＵ３１は、次に、電子カルテ記憶装置５に検査データが記憶されていることを示す記憶情報が不揮発性記憶部３３に記憶されているか否かを判定する（Ｓ３０９）。記憶情報が記憶されている場合は（Ｓ３０９：ＹＥＳ）、ＣＰＵ３１は、遠隔診療の予約を受け付けるための予約処理を行う（Ｓ３１０）。記憶情報が記憶されていない場合は（Ｓ３０９：ＮＯ）、ＣＰＵ３１は、仮予約を受け付けるための仮予約処理を行う（Ｓ３１１）。仮予約は、特定の日時までに検査データが電子カルテ記憶装置５に記憶されていることを前提とし、遠隔診療を行うべき日時を特定の日時以降とした予約である。Ｓ３０９の処理は許可判定部３１１に対応し、Ｓ３１０の処理は予約部３１２に対応し、Ｓ３１１の処理は仮予約部３１３に対応する。
【００７１】
Ｓ３１１又はＳ３１２が終了した後は、ＣＰＵ３１は、予約申込の結果を示す申込結果を通信部３４に患者用端末装置１へ送信させる（Ｓ３１２）。ＣＰＵ３１は、次に、医師２０に対して患者１０に係る医療検査の結果を閲覧することを要求する閲覧要求を、通信部２６に医師用端末装置２へ送信させる（Ｓ３１３）。更に、ＣＰＵ３１は、必要なタイミングで、特定の日時までに検査データが電子カルテ記憶装置５に記憶されることが無かった期限切れの仮予約を取り消す処理を行う（Ｓ３１４）。Ｓ３１４の処理は、取消部３１４に対応する。Ｓ３１４の処理が終了した後は、予約受付装置３は処理を終了する。
【００７２】
患者用端末装置１は、予約受付装置３から送信された申込結果を通信部１６で受信する（Ｓ３１５）。演算部１１は、受信した申込結果に基づいて、仮予約が行われた否かを判定する（Ｓ３１６）。仮予約が行われている場合（Ｓ３１６：ＹＥＳ）、演算部１１は、特定の日時までに検査データが電子カルテ記憶装置５に記憶されるように医療検査の結果を郵送すべきであることを告知する処理を行う（Ｓ３１７）。例えば、演算部１１は、医療検査の結果を郵送すべきであることを警告する画像を出力部１５に表示させる処理を行う。Ｓ３１７の処理は、告知部１１４に対応する。仮予約が行われていない場合（Ｓ３１６：ＮＯ）、又はＳ３１７の処理が終了した後は、患者用端末装置１は処理を終了する。
【００７３】
医師用端末装置２は、予約受付装置３から送信された閲覧要求を通信部２６で受信する（Ｓ３１３）。ＣＰＵ２１は、通信部２６を用いて電子カルテ記憶装置５にアクセスし、カルテデータ５３２に含まれる患者１０に係る検査データを不揮発性記憶部５３から読み出すことにより、検査データを電子カルテ記憶装置５から取得する（Ｓ３１９）。ＣＰＵ２１は、取得した検査データを不揮発性記憶部２３に記憶する（Ｓ３２０）。ＣＰＵ２１は、不揮発性記憶部２３で記憶している検査データが表す医療検査の検査結果を出力部２５で出力する（Ｓ３２１）。医師２０は、出力された検査結果を閲覧する。Ｓ３２１の処理が終了した後は、電子カルテ記憶装置５は処理を終了する。
【００７４】
以上のように、本実施形態においても、患者１０から医師２０への医療検査の結果の提供と、遠隔診療の予約とが行われる。後日、予約に従って、患者１０と医師２０との間で遠隔診療が行われる。遠隔診療システムにより行われる会計処理の内容は、実施形態１と同様である。本実施形態においても、医師２０は患者１０の同意を得て患者１０の個人情報である医療検査の結果を取得することができる。医師２０は確実に医療検査の結果を入手した状態で遠隔診療を行い、適切な遠隔診療を行うことができる。従って、本実施形態においても、適切な遠隔診療を容易に行うことが可能となる。
【００７５】
＜実施形態３＞
実施形態３においては、患者用端末装置１から送信された検査データを電子カルテ記憶装置５で記憶する形態を示す。遠隔診療システムの構成は、実施形態１及び２と同様である。実施形態１及び２と同様に、患者１０は、自己で検体を採取し、検査機関へ送付し、検査機関は、医療検査を行う。検査データ記憶装置４には、検査データ４３２が記憶されている。
【００７６】
図１７は、実施形態３に係る遠隔診療システムが医療検査の結果の提供と遠隔診療の予約とを行う処理の手順を示すフローチャートである。患者用端末装置１は、通信ネットワーク７１を通じて検査データ記憶装置４にアクセスする。検査データ記憶装置４のＣＰＵ４１は、不揮発性記憶部４３に記憶している検査データ４３２の中から、患者１０に係る検査データを読み出し、通信部４４に検査データを患者用端末装置１へ送信させる（Ｓ４０１）。
【００７７】
患者用端末装置１は、検査データ記憶装置４から送信された検査データを通信部４４で受信し（Ｓ４０２）、不揮発性記憶部１３は検査データを記憶する（Ｓ４０３）。受付部１４は、次に、患者１０の操作により、遠隔診療の予約の申し込み先である医師又は医療機関の選択を受け付け（Ｓ４０４）、選択された申し込み先への検査データの送信指示を受け付ける（Ｓ４０５）。演算部１１は、電子メール等の方法で検査データを申し込み先へ送信する（Ｓ４０６）。患者用端末装置１は、次に、選択された申し込み先への遠隔診療の申込指示を受け付ける（Ｓ４０７）。演算部１１は、次に、遠隔診療の予約の申し込みを表す申込データを通信部１６に予約受付装置３へ送信させる（Ｓ４０８）。Ｓ４０８の処理は、申込データ送信部１１３に対応する。
【００７８】
患者用端末装置１から送信された検査データは、メールサーバ装置等を経由して、最終的に予約受付装置３へ送信され、予約受付装置３は検査データを受信する（Ｓ４０９）。ＣＰＵ３１は、受信した検査データを通信部３４に電子カルテ記憶装置５へ送信させる（Ｓ４１０）。なお、Ｓ４０９及びＳ４１０の処理は、予約受付装置３とは別の装置により実行されてもよい。
【００７９】
電子カルテ記憶装置５は、検査データを通信部５４で受信する（Ｓ４１１）。ＣＰＵ５１は、受信した検査データをカルテデータ５３２に追加することにより、検査データを不揮発性記憶部５３に記憶する（Ｓ４１２）。ＣＰＵ５１は、次に、検査データを記憶していることを示す記憶情報を、通信部５４に予約受付装置３へ送信させる（Ｓ４１３）。電子カルテ記憶装置５は、記憶装置に対応する。予約受付装置３は、電子カルテ記憶装置５から送信された記憶情報を通信部３４で受信し（Ｓ４１４）、不揮発性記憶部３３に記憶情報を記憶する（Ｓ４１５）。
【００８０】
予約受付装置３は、患者用端末装置１から送信された申込データを通信部３４で受信する（Ｓ４１６）。以降の遠隔診療システムが行う処理は、図１６に示したＳ３０９〜Ｓ３２１の処理と同様である。Ｓ３１７に対応する処理では、演算部１１は、特定の日時までに検査データを送信するべきであることを告知する処理を行う。以上の処理により、患者１０から医師２０への医療検査の結果の提供と、遠隔診療の予約とが行われる。後日、予約に従って、患者１０と医師２０との間で遠隔診療が行われる。遠隔診療システムにより行われる会計処理の内容は、実施形態１と同様である。
【００８１】
以上のように、本実施形態においても、医師２０は患者１０の同意を得て患者１０の個人情報である医療検査の結果を取得することができる。医師２０は確実に医療検査の結果を入手した状態で遠隔診療を行い、適切な遠隔診療を行うことができる。従って、本実施形態においても、適切な遠隔診療を容易に行うことが可能となる。
【００８２】
＜実施形態４＞
実施形態４においては、電子カルテ記憶装置５が検査データを検査データ記憶装置４から取得する形態を示す。実施形態１と同様に、患者１０は、自己で検体を採取し、検査機関へ送付し、検査機関は、医療検査を行う。検査データ記憶装置４には、検査データ４３２が記憶されている。
【００８３】
図１８は、実施形態４に係る患者用端末装置１の機能構成を示す機能ブロック図である。患者用端末装置１は、記憶部１２１と、選択受付部１１１と、申込データ送信部１１３と、告知部１１４とを備えている。更に、患者用端末装置１は、遠隔診療を行う医師２０が患者１０に対する医療検査の結果を閲覧することを許可することを表した許可情報を送信する許可情報送信部１１５を備えている。患者用端末装置１の具体的な構成は図４に示した実施形態１と同様である。演算部１１が、コンピュータプログラム１８に従った処理を行い、コンピュータプログラム１８に従って受付部１４、出力部１５及び通信部１６を制御することにより、選択受付部１１１、申込データ送信部１１３、告知部１１４及び許可情報送信部１１５が実現される。
【００８４】
図１９は、実施形態４に係る予約受付装置３の機能構成を示す機能ブロック図である。予約受付装置３は、処理部３０１を備え、処理部３０１は、許可判定部３１１と、予約部３１２と、仮予約部３１３と、取消部３１４と、検査データを電子カルテ記憶装置５に記憶させる制御を行う記憶制御部３１５とを有している。予約受付装置３の具体的な構成は図７に示した実施形態１と同様である。ＣＰＵ３１がコンピュータプログラム３３１に従った処理及び制御を行うことにより、処理部３０１が実現される。遠隔診療システムのその他の構成は、実施形態１〜３と同様である。
【００８５】
図２０は、実施形態４に係る遠隔診療システムが医療検査の結果の提供と遠隔診療の予約とを行う処理の手順を示すフローチャートである。患者用端末装置１は、受付部１４で、患者１０の操作により、遠隔診療の予約の申し込み先である医師又は医療機関の選択を受け付ける（Ｓ５０１）。患者用端末装置１は、次に、受付部１４で、患者１０の操作により、遠隔診療を行う医師２０が患者１０に対する医療検査の結果を閲覧することの許可を受け付ける（Ｓ５０２）。例えば、演算部１１は、コンピュータプログラム１８に従って、医療検査の結果の閲覧の許可を受け付けるための受付画面を出力部１５に表示し、患者１０の操作により受付部１４は許可を受け付ける。演算部１１は、次に、医師２０が患者１０に対する医療検査の結果を閲覧することを許可することを表した許可情報を、通信部１６に予約受付装置３へ送信させる（Ｓ５０３）。許可情報には、患者１０を示す情報と、選択された申し込み先を示す情報と、医師２０が医療検査の結果を閲覧することを許可することを示す情報とが含まれている。Ｓ５０３の処理は、許可情報送信部１１５に対応する。患者用端末装置１は、次に、受付部１４で、患者１０の操作により、選択された申し込み先への遠隔診療の申込指示を受け付ける（Ｓ５０４）。演算部１１は、次に、遠隔診療の予約の申し込みを表す申込データを通信部１６に予約受付装置３へ送信させる（Ｓ５０５）。Ｓ５０５の処理は、申込データ送信部１１３に対応する。
【００８６】
予約受付装置３は、患者用端末装置１から送信された許可情報を通信部３４で受信する（Ｓ５０６）。ＣＰＵ３１は、次に、許可情報に基づいて、患者１０に対する医療検査の結果を表した検査データを電子カルテ記憶装置５へ送信することを要求する送信要求を、通信部３４に検査データ記憶装置４へ送信させる（Ｓ５０７）。Ｓ５０７の処理は、記憶制御部３１５に対応する。検査データ記憶装置４は、予約受付装置３から送信された送信要求を通信部４４で受信する（Ｓ５０８）。ＣＰＵ４１は、送信要求に従って、不揮発性記憶部４３に記憶している検査データ４３２から患者１０に係る検査データを読み出し、読み出した検査データを通信部４４に電子カルテ記憶装置５へ送信させる（Ｓ５０９）。
【００８７】
電子カルテ記憶装置５は、検査データ記憶装置４から送信された検査データを通信部５４で受信する（Ｓ５１０）。ＣＰＵ５１は、受信した検査データをカルテデータ５３２に追加することにより、患者１０に係る検査データを不揮発性記憶部５３に記憶する（Ｓ５１２）。ＣＰＵ５１は、次に、検査データを記憶していることを示す記憶情報を、通信部５４に予約受付装置３へ送信させる（Ｓ５１２）。電子カルテ記憶装置５は、記憶装置に対応する。予約受付装置３は、電子カルテ記憶装置５から送信された記憶情報を通信部３４で受信し（Ｓ５１３）、不揮発性記憶部３３に記憶情報を記憶する（Ｓ５１４）。
【００８８】
予約受付装置３は、患者用端末装置１から送信された申込データを通信部３４で受信する（Ｓ５１５）。以降の遠隔診療システムが行う処理は、Ｓ３１７に対応する処理では、演算部１１は、特定の日時までに許可情報を送信するべきであることを告知する処理を行う。以上の処理により、患者１０から医師２０への医療検査の結果の提供と、遠隔診療の予約とが行われる。後日、予約に従って、患者１０と医師２０との間で遠隔診療が行われる。遠隔診療システムにより行われる会計処理の内容は、実施形態１と同様である。
【００８９】
以上のように、本実施形態においても、医師２０は患者１０の同意を得て患者１０の個人情報である医療検査の結果を取得することができる。医師２０は確実に医療検査の結果を入手した状態で遠隔診療を行い、適切な遠隔診療を行うことができる。従って、本実施形態においても、適切な遠隔診療を容易に行うことが可能となる。
【００９０】
＜実施形態５＞
実施形態５においては、医師用端末装置２が検査データを検査データ記憶装置４から取得する形態を示す。実施形態１と同様に、患者１０は、自己で検体を採取し、検査機関へ送付し、検査機関は、医療検査を行う。検査データ記憶装置４には、検査データ４３２が記憶されている。遠隔診療システムのその他の構成は、実施形態４と同様である。
【００９１】
図２１及び図２２は、実施形態５に係る遠隔診療システムが医療検査の結果の提供と遠隔診療の予約とを行う処理の手順を示すフローチャートである。患者用端末装置１は、受付部１４で、患者１０の操作により、遠隔診療の予約の申し込み先である医師又は医療機関の選択を受け付ける（Ｓ６０１）。患者用端末装置１は、次に、受付部１４で、患者１０の操作により、遠隔診療を行う医師２０が患者１０に対する医療検査の結果を閲覧することの許可を受け付ける（Ｓ６０２）。演算部１１は、次に、医師２０が患者１０に対する医療検査の結果を閲覧することを許可することを表した許可情報を、通信部１６に予約受付装置３へ送信させる（Ｓ６０３）。Ｓ６０３の処理は、許可情報送信部１１５に対応する。患者用端末装置１は、次に、受付部１４で、患者１０の操作により、選択された申し込み先への遠隔診療の申込指示を受け付ける（Ｓ６０４）。演算部１１は、次に、遠隔診療の予約の申し込みを表す申込データを通信部１６に予約受付装置３へ送信させる（Ｓ６０５）。Ｓ６０５の処理は、申込データ送信部１１３に対応する。
【００９２】
予約受付装置３は、患者用端末装置１から送信された許可情報を通信部３４で受信する（Ｓ６０６）。ＣＰＵ３１は、次に、許可情報に基づいて、医師２０に対して患者１０に係る医療検査の結果を閲覧することを要求する閲覧要求を、通信部２６に医師用端末装置２へ送信させる（Ｓ６０７）。Ｓ６０７の処理は、記憶制御部３１５に対応する。医師用端末装置２は、予約受付装置３から送信された閲覧要求を通信部２６で受信する（Ｓ６０８）。ＣＰＵ２１は、患者１０に対する医療検査の結果を表した検査データを医師用端末装置２へ送信することを要求する送信要求を、通信部２６に検査データ記憶装置４へ送信させる（Ｓ６０９）。例えば、ＣＰＵ２１は、閲覧要求を示す画像を出力部２５に表示させ、閲覧要求を確認した医師２０が受付部２４を操作し、受付部２４で受け付けた指示に応じて、Ｓ６１０の処理を実行する。検査データ記憶装置４は、医師用端末装置２から送信された送信要求を通信部４４で受信する（Ｓ６１０）。ＣＰＵ４１は、送信要求に従って、不揮発性記憶部４３に記憶している検査データ４３２から患者１０に係る検査データを読み出し、読み出した検査データを通信部４４に医師用端末装置２へ送信させる（Ｓ６１１）。
【００９３】
医師用端末装置２は、検査データ記憶装置４から送信された検査データを通信部２６で受信する（Ｓ６１２）。ＣＰＵ２１は、受信した検査データを不揮発性記憶部２３に記憶する（Ｓ６１３）。ＣＰＵ２１は、検査データが表す医療検査の検査結果を出力部２５で出力する（Ｓ６１４）。医師２０は、出力された検査結果を閲覧する。ＣＰＵ２１は、次に、患者１０に係る検査データを検査データ記憶装置４から取得することができることを示す取得情報を、通信部２６に予約受付装置３へ送信させる（Ｓ６１５）。ＣＰＵ２１は、次に、患者１０に係る検査データを、通信部２６に電子カルテ記憶装置５へ送信させる（Ｓ６１９）。電子カルテ記憶装置５は、医師用端末装置２から送信された検査データを通信部５４で受信する（Ｓ６２０）。ＣＰＵ５１は、受信した検査データをカルテデータ５３２に追加することにより、患者１０に係る検査データを不揮発性記憶部５３に記憶する（Ｓ６２１）。なお、医師用端末装置２は、検査データを記憶するＳ６１３の処理、及び検査データを送信するＳ６１９の処理を行う事無く、遠隔診療を行うときに改めて検査データを取得し、医療検査の検査結果を出力する処理を行ってよい。
【００９４】
予約受付装置３は、医師用端末装置２から送信された取得情報を通信部３４で受信し（Ｓ６１５）、不揮発性記憶部３３に取得情報を記憶する（Ｓ６１７）。また、予約受付装置３は、患者用端末装置１から送信された申込データを通信部３４で受信する（Ｓ６１８）。ＣＰＵ３１は、次に、患者１０に係る検査データを検査データ記憶装置４から取得することができることを示す取得情報が不揮発性記憶部３３に記憶されているか否かを判定する（Ｓ６２２）。取得情報が記憶されている場合は（Ｓ６２２：ＹＥＳ）、ＣＰＵ３１は、遠隔診療の予約を受け付けるための予約処理を行う（Ｓ６２３）。記憶情報が記憶されていない場合は（Ｓ６２２：ＮＯ）、ＣＰＵ３１は、仮予約を受け付けるための仮予約処理を行う（Ｓ６２４）。仮予約は、特定の日時までに検査データが医師用端末装置２に記憶されていることを前提とし、遠隔診療を行うべき日時を特定の日時以降とした予約である。Ｓ６２２の処理は許可判定部３１１に対応し、Ｓ６２３の処理は予約部３１２に対応し、Ｓ６２４の処理は仮予約部３１３に対応する。
【００９５】
Ｓ６２３又はＳ６２４が終了した後は、ＣＰＵ３１は、予約申込の結果を示す申込結果を通信部３４に患者用端末装置１へ送信させる（Ｓ６２５）。更に、ＣＰＵ３１は、必要なタイミングで、特定の日時までに取得情報が得られることが無かった期限切れの仮予約を取り消す処理を行う（Ｓ６２６）。Ｓ６２６の処理は、取消部３１４に対応する。Ｓ６２６の処理が終了した後は、予約受付装置３は処理を終了する。
【００９６】
患者用端末装置１は、予約受付装置３から送信された申込結果を通信部１６で受信する（Ｓ６２７）。演算部１１は、受信した申込結果に基づいて、仮予約が行われた否かを判定する（Ｓ６２８）。仮予約が行われている場合（Ｓ６２８：ＹＥＳ）、演算部１１は、特定の日時までに許可情報を送信するべきであることを告知する処理を行う（Ｓ６２９）。例えば、演算部１１は、許可情報を送信すべきであることを警告する画像を出力部１５に表示させる処理を行う。Ｓ６２９の処理は、告知部１１４に対応する。仮予約が行われていない場合（Ｓ６２８：ＮＯ）、又はＳ６２９の処理が終了した後は、患者用端末装置１は処理を終了する。
【００９７】
以上のように、本実施形態においても、患者１０から医師２０への医療検査の結果の提供と、遠隔診療の予約とが行われる。後日、予約に従って、患者１０と医師２０との間で遠隔診療が行われる。遠隔診療システムにより行われる会計処理の内容は、実施形態１と同様である。本実施形態においても、医師２０は患者１０の同意を得て患者１０の個人情報である医療検査の結果を取得することができる。医師２０は確実に医療検査の結果を入手した状態で遠隔診療を行い、適切な遠隔診療を行うことができる。従って、本実施形態においても、適切な遠隔診療を容易に行うことが可能となる。
【００９８】
＜実施形態６＞
実施形態６においては、患者用端末装置１で患者１０から遠隔診療の申込指示を受け付けるときの処理を示す。遠隔医療システムの構成は、実施形態１〜５の何れかと同様である。
【００９９】
図２３は、実施形態６に係る患者用端末装置１が遠隔診療の申込指示を受け付ける処理の手順を示すフローチャートである。演算部１１は、コンピュータプログラム１８に従って以下の処理を実行する。患者用端末装置１は、患者１０の操作により、遠隔診療の申込の開始の指示を受け付ける（Ｓ７１）。例えば、演算部１１は、遠隔診療の申込を行うためのアプリケーションの実行指示を受付部１４が受け付けることによって、申込の開始の指示を受け付け、遠隔診療の申込を行うためのアプリケーションを実行する。また、例えば、患者用端末装置１は、予約受付装置２又は検査データ記憶装置４等の所定のウェブサーバ装置にアクセスし、ウェブサーバ装置に記憶されたデータに基づいたウェブページを出力部（ディスプレイ）１５に表示し、ウェブページを利用して受付部１４で遠隔診療の申込の開始の指示を受け付ける。
【０１００】
演算部１１は、次に、遠隔診療の予約の申し込み先へ既に検査データを送信しているか否かを判定する（Ｓ７２）。例えば、演算部１１は、処理の履歴、又は送信履歴に基づいて、判定を行う。また、例えば、演算部１１は、通信部１６を用いて予約受付装置２にアクセスし、予約受付装置２に記憶されているデータに基づいて、判定を行う。なお、医療検査の結果を郵送する形態では、既に医療検査の結果を郵送しているか否かの選択を患者１０の操作により受付部１４が受け付け、Ｓ７２では、演算部１１は、受け付けた選択に応じて、既に医療検査の結果を郵送しているか否かを判定する。また、患者用端末装置１が検査データを送信せず許可情報を送信する形態では、Ｓ７２では、演算部１１は、既に許可情報を送信しているか否かを判定する。
【０１０１】
既に検査データを送信している場合は（Ｓ７２：ＹＥＳ）、演算部１１は、予約申込用の画面を出力部１５に表示させる（Ｓ７３）。医療検査の結果を郵送する形態では、既に医療検査の結果を郵送している場合に、同様に、予約申込用の画面が表示される。患者用端末装置１が許可情報を送信する形態では、既に許可情報を送信している場合に、同様に、予約申込用の画面が表示される。図２４は、予約申込用の画面の例を示す模式図である。画面には、遠隔診療の予約の申し込みが可能であることがメッセージで示されており、遠隔診療を担当する医師２０の名前が示されている。また、画面には、遠隔診療を行う日時の候補が表示され、表示された日時の候補の中から遠隔診療を行う日時を選択するための選択欄が含まれている。また、画面を視認した患者１０がクリック又はタップ等の操作を受付部１４を用いて行うことにより遠隔診療の予約の申し込みの指示を受け付けるための申し込みボタンが、画面に含まれている。
【０１０２】
検査データをまだ送信していない場合は（Ｓ７２：ＮＯ）、演算部１１は、仮予約申込用の画面を出力部１５に表示させる（Ｓ７４）。医療検査の結果を郵送する形態では、医療検査の結果をまだ郵送していない場合に、同様に、仮予約申込用の画面が表示される。患者用端末装置１が許可情報を送信する形態では、許可情報をまだ送信していない場合に、同様に、仮予約申込用の画面が表示される。図２５は、仮予約申込用の画面の例を示す模式図である。画面には、遠隔診療の予約の申し込みはできず、代わりに仮予約の申し込みが可能であることがメッセージで示されている。また、画面には、遠隔診療を担当する医師２０の名前が示されており、日時の候補の中から遠隔診療を行う日時を選択するための選択欄が含まれている。また、遠隔診療の仮予約の申し込みの指示を受け付けるための申し込みボタンが、画面に含まれている。なお、仮予約申込用の画面では、医師２０を選択し直すことができるようになっていてもよい。Ｓ７３及びＳ７４の処理は、メッセージ表示部、ボタン表示部及び選択欄表示部に対応する。
【０１０３】
Ｓ７３又はＳ７４の後は、演算部１１は、遠隔診療の申込指示を受け付ける（Ｓ７５）。Ｓ７５では、演算部１１は、遠隔診療の予約の申し込み又は遠隔診療の仮予約の申し込みを受け付けることにより、遠隔診療の申込指示を受け付ける。予約申込用の画面又は仮予約申込用の画面を用いて、患者１０による操作を受付部１４で受け付けることにより、演算部１１は、遠隔診療を行う日時の選択を受け付け、遠隔診療の予約の申し込み又は遠隔診療の仮予約の申し込みを受け付ける。Ｓ７５の処理が終了した後は、演算部１１は、遠隔診療の申込指示を受け付ける処理を終了する。その後、演算部１１は、実施形態１〜５と同様に、申込データを送信するための処理を行う。なお、演算部１１は、遠隔診療の申込指示を受け付けることなく、遠隔診療の申込指示を受け付ける処理を終了することも可能である。
【０１０４】
以上のように、本実施形態においては、患者１０は、患者用端末装置１を用いて遠隔診療の申し込みを行うことができる。検査データを送信しているか否か、医療検査の結果を郵送しているか否か、又は許可情報を送信しているか否かに応じて、遠隔診療の予約又は仮予約を行うことができる。患者１０は、予約申込用の画面又は仮予約申込用の画面を用いて申込を行うことにより、予約又は仮予約を行っていることを認識することができる。なお、患者用端末装置１は、仮予約申込用の画面を表示した状態から、検査データ又は許可情報を送信するための処理を実行することができる形態であってもよい。また、患者用端末装置１は、遠隔診療の仮予約を受け付けた後に、特定の日時までに検査データの送信等の必要な処理を行うべきことを告知する処理を行ってもよい。また、患者用端末装置１は、申込用の画面を表示した状態から、検査データ又は許可情報を送信するための処理を実行することができる形態であってもよい。また、Ｓ７１〜Ｓ７５の処理の一部は、患者用端末装置１がアクセスしたウェブサーバ装置により実行されてもよい。
【符号の説明】
【０１０５】
１  患者用端末装置（予約申込装置）
１８  コンピュータプログラム
２  医師用端末装置（記憶装置）
３  予約受付装置
４  検査データ記憶装置
５  電子カルテ記憶装置
６  会計装置
７１  通信ネットワーク
【図１】
2018106402.tif 000003
【図２】
2018106402.tif 000004
【図３】
2018106402.tif 000005
【図４】
2018106402.tif 000006
【図５】
2018106402.tif 000007
【図６】
2018106402.tif 000008
【図７】
2018106402.tif 000009
【図８】
2018106402.tif 000010
【図９】
2018106402.tif 000011
【図１０】
2018106402.tif 000012
【図１１】
2018106402.tif 000013
【図１２】
2018106402.tif 000014
【図１３】
2018106402.tif 000015
【図１４】
2018106402.tif 000016
【図１５】
2018106402.tif 000017
【図１６】
2018106402.tif 000018
【図１７】
2018106402.tif 000019
【図１８】
2018106402.tif 000020
【図１９】
2018106402.tif 000021
【図２０】
2018106402.tif 000022
【図２１】
2018106402.tif 000023
【図２２】
2018106402.tif 000024
【図２３】
2018106402.tif 000025
【図２４】
2018106402.tif 000026
【図２５】
2018106402.tif 000027